【事件の表示】
　特許第６０３６１０５号発明「金属光沢層を備えた磁気隠蔽カード」の特許異議申立事件について、次のとおり決定する。
【結　論】
　特許第６０３６１０５号の明細書、特許請求の範囲を訂正請求書に添付された特許請求の範囲、訂正後の請求項〔１−４〕について訂正することを認める。
　特許第６０３６１０５号の請求項１乃至４に係る特許を取り消す。
【理　由】
１．手続の経緯　
　特許第６０３６１０５号の請求項１乃至４に係る特許についての出願は、平成２４年９月２７日に出願され、平成２８年１１月１１日付けでその特許権の設定登録がされ、同年１１月３０日に特許掲載公報が発行された。その後、本件特許に対して、平成２９年５月２６日付けで特許異議申立人　赤松智信より請求項１乃至４に対して特許異議の申立てがされ、同年８月４日付けで取消理由が通知され、同年１０月６日に意見書の提出及び訂正請求がされ、同年１１月２４日に特許異議申立人　赤松智信から意見書が提出され、平成３０年１月１７日付けで取消理由通知（決定の予告）が通知され、同年３月２３日に意見書の提出及び訂正請求がされ、同年５月１日に特許異議申立人から意見書が提出され、同年５月２４日付けで訂正拒絶理由通知が通知され、同年６月１９日に面接が行われ、同年６月２７日に意見書が提出され、平成３０年７月１９日付けで取消理由通知（決定の予告）が通知され、同年９月２１日に意見書の提出及び訂正請求（以下「本件訂正請求」という。）がされたものである。
２．訂正の適否　
（１）訂正の内容　
　本件訂正請求による訂正（以下「本件訂正」という。）の内容は以下のとおりである。
ア　訂正事項１
　請求項１に「磁気テープ転写面に金属蒸着層を積層し」とあるのを、「磁気テープ転写面に、ヘアラインの凹凸溝模様が形成された金属蒸着層を積層し」と訂正する。
イ　訂正事項２
　請求項１に「磁気カードにおいて」とあるのを、「金属色調と光輝感を有する磁気カードにおいて」と訂正する。
ウ　訂正事項３
　請求項２に「磁気テープ転写面に金属蒸着層を積層し」とあるのを、「磁気テープ転写面に、ヘアラインの凹凸溝模様が形成された金属蒸着層を積層し」と訂正する。
エ　訂正事項４
　請求項２に「磁気カードにおいて」とあるのを、「金属色調と光輝感を有する磁気カードにおいて」と訂正する。
（２）訂正の目的の適否、特許請求の範囲の拡張・変更の存否、新規事項の有無、及び一群の請求項について　
ア　訂正事項１について
（ア）訂正の目的について
　訂正事項１は、訂正前の請求項１の「磁気隠蔽カード」における「金属蒸着層」について、「ヘアラインの凹凸溝模様が形成された金属蒸着層」と具体的に限定するものであるから、特許法第１２０条の５第２項ただし書第１号に規定する特許請求の範囲の減縮を目的とするものである。
（イ）実質上特許請求の範囲を拡張し、又は変更するものではないこと
　訂正事項１は、実質上特許請求の範囲を拡張し、又は変更するものではないから、特許法第１２０条の５第９項で準用する第１２６条第６項に適合するものである。
（ウ）願書に添付した明細書、特許請求の範囲又は図面に記載した事項の範囲内の訂正であること
　当該訂正事項１に関する記載として、願書に添付した明細書の発明の詳細な説明の段落【００１７】に「基材２１の金属蒸着層２３側面には、ヘアライン等の浅く切削した凹凸溝模様を形成しておいても良い。その場合には、金属薄膜層の装飾性が高いものとなる。」と記載され、段落【００１８】に「ヘアラインの形成は、例えば、サンドペーパーベルトを巻いたロールをフィルム基材２１の流れ方向に逆らって回転させ、フィルム基材２１の表面にヘアライン目を形成することによりできる。」と記載されているから、「磁気テープ転写面に、凹凸溝模様が形成された金属蒸着層を積層し」とすることは、願書に添付した明細書に記載された範囲内のものである。
　したがって、当該訂正事項１は、願書に添付した明細書、特許請求の範囲又は図面に記載した事項の範囲内のものであって、特許法第１２０条の５第９項で準用する第１２６条第５項に適合するものである。
イ　訂正事項２について
（ア）訂正の目的について
　訂正事項２は、訂正前の請求項１の「磁気隠蔽カード」における「磁気カード」について、「金属色調と光輝感を有する磁気カード」と具体的に限定するものであるから、特許法第１２０条の５第２項ただし書第１号に規定する特許請求の範囲の減縮を目的とするものである。
（イ）実質上特許請求の範囲を拡張し、又は変更するものではないこと
　訂正事項２は、実質上特許請求の範囲を拡張し、又は変更するものではないから、特許法第１２０条の５第９項で準用する第１２６条第６項に適合するものである。
（ウ）願書に添付した明細書、特許請求の範囲又は図面に記載した事項の範囲内の訂正であること
　当該訂正事項２に関する記載として、願書に添付した明細書の発明の詳細な説明の段落【０００２】に「表面が、金属光沢を有するカードは、独特の金属色調と光輝感を有することから、高級カードとして従来から好まれている。」と記載され、段落【００１７】に「基材２１の金属蒸着層２３側面には、ヘアライン等の浅く切削した凹凸溝模様を形成しておいても良い。その場合には、金属薄膜層の装飾性が高いものとなる。」と記載されているから、「金属色調と光輝感を有する磁気カード」とすることは、願書に添付した明細書に記載された範囲内のものである。
　したがって、当該訂正事項２は、願書に添付した明細書、特許請求の範囲又は図面に記載した事項の範囲内のものであって、特許法第１２０条の５第９項で準用する第１２６条第５項に適合するものである。
ウ　訂正事項３について
（ア）訂正の目的について
　訂正事項３は、訂正前の請求項２の「磁気隠蔽カード」における「金属蒸着層」について、「ヘアラインの凹凸溝模様が形成された金属蒸着層」と具体的に限定するものであるから、特許法第１２０条の５第２項ただし書第１号に規定する特許請求の範囲の減縮を目的とするものである。
（イ）実質上特許請求の範囲を拡張し、又は変更するものではないこと
　訂正事項３は、実質上特許請求の範囲を拡張し、又は変更するものではないから、特許法第１２０条の５第９項で準用する第１２６条第６項に適合するものである。
（ウ）願書に添付した明細書、特許請求の範囲又は図面に記載した事項の範囲内の訂正であること
　当該訂正事項３に関する記載として、願書に添付した明細書の発明の詳細な説明の段落【００１７】に「基材２１の金属蒸着層２３側面には、ヘアライン等の浅く切削した凹凸溝模様を形成しておいても良い。その場合には、金属薄膜層の装飾性が高いものとなる。」と記載され、段落【００１８】に「ヘアラインの形成は、例えば、サンドペーパーベルトを巻いたロールをフィルム基材２１の流れ方向に逆らって回転させ、フィルム基材２１の表面にヘアライン目を形成することによりできる。」と記載されているから、「磁気テープ転写面に、凹凸溝模様が形成された金属蒸着層を積層し」とすることは、願書に添付した明細書に記載された範囲内のものである。
　したがって、当該訂正事項３は、願書に添付した明細書、特許請求の範囲又は図面に記載した事項の範囲内のものであって、特許法第１２０条の５第９項で準用する第１２６条第５項に適合するものである。
エ　訂正事項４について
（ア）訂正の目的について
　訂正事項４は、訂正前の請求項２の「磁気隠蔽カード」における「磁気カード」について、「金属色調と光輝感を有する磁気カード」と具体的に限定するものであるから、特許法第１２０条の５第２項ただし書第１号に規定する特許請求の範囲の減縮を目的とするものである。
（イ）実質上特許請求の範囲を拡張し、又は変更するものではないこと
　訂正事項４は、実質上特許請求の範囲を拡張し、又は変更するものではないから、特許法第１２０条の５第９項で準用する第１２６条第６項に適合するものである。
（ウ）願書に添付した明細書、特許請求の範囲又は図面に記載した事項の範囲内の訂正であること
　当該訂正事項４に関する記載として、願書に添付した明細書の発明の詳細な説明の段落【０００２】に「表面が、金属光沢を有するカードは、独特の金属色調と光輝感を有することから、高級カードとして従来から好まれている。」と記載され、段落【００１７】に「基材２１の金属蒸着層２３側面には、ヘアライン等の浅く切削した凹凸溝模様を形成しておいても良い。その場合には、金属薄膜層の装飾性が高いものとなる。」と記載されているから、「金属色調と光輝感を有する磁気カード」とすることは、願書に添付した明細書に記載された範囲内のものである。
　したがって、当該訂正事項４は、願書に添付した明細書、特許請求の範囲又は図面に記載した事項の範囲内のものであって、特許法第１２０条の５第９項で準用する第１２６条第５項に適合するものである。
オ　一群の請求項についての適否　
　訂正事項に係る訂正前の請求項３、及び４について、請求項３、及び４は、すべて直接的又は間接的に「請求項１」または「請求項２」を引用しているものであって、訂正事項によって記載が訂正される請求項１または請求項２に連動して訂正されるものである。
　したがって、訂正前の請求項１乃至請求項４は、特許法第１２０条の５第４項に規定する一群の請求項に該当するものである。　
　よって、訂正事項による訂正は、特許法第１２０条の５第４項に規定する「一群の請求項ごとに」適法に請求されたものである。　
　また、訂正後の請求項１乃至請求項４は、一群の請求項である。　
　
（３）まとめ　
　以上のとおり、本件訂正は、特許法第１２０条の５第２項ただし書き第１号に掲げる事項を目的とするものであり、かつ、同条第９項において準用する同法第１２６条第５項、及び第６項の規定に適合するので、本件訂正後の請求項〔１−４〕について訂正を認める。
３．取消理由の概要
　訂正前の請求項１乃至４に係る特許に対して、当審が平成３０年７月１９日に特許権者に通知した取消理由の要旨は、次のとおりである。
　請求項１、３、及び４に係る発明は、甲第１号証に記載された発明、甲第２号証に記載された発明、及び周知技術を組み合わせることにより、当業者が容易に発明をすることができたものである。
　また、請求項２に係る発明は、甲第１号証に記載された発明、及び甲第２号証に記載された発明を組み合わせることにより、当業者が容易に発明をすることができたものである。
　よって、請求項１乃至４に係る特許は、特許法第２９条第２項の規定に違反してされたものであり、取り消されるべきものである。
４．当審の判断
（１）本件訂正特許発明　
　上記「２．訂正の適否」のとおり、本件訂正は認められるから、上記訂正請求により訂正された請求項１乃至４に係る発明（以下、順に「本件訂正特許発明１」乃至「本件訂正特許発明４」という。）は、次の事項により特定されるとおりのものである。
「【請求項１】
　白色のコアシートを中心層としてその両面にオーバーシートを積層し、１のオーバーシートの磁気テープ転写面に、ヘアラインの凹凸溝模様が形成された金属蒸着層を積層し、さらに金属蒸着層面にデザイン印刷を施した金属色調と光輝感を有する磁気カードにおいて、
　該金属蒸着層が海・島構造からなる絶縁性のものであり、
　該１のオーバーシートと接するコアシート面にはシルクスクリーンによる黒色印刷がされていることを特徴とする金属光沢層を備えた磁気隠蔽カード。
【請求項２】
　黒色のコアシートを中心層としてその両面にオーバーシートを積層し、１のオーバーシートの磁気テープ転写面に、ヘアラインの凹凸溝模様が形成された金属蒸着層を積層し、さらに金属蒸着層面にデザイン印刷を施した金属色調と光輝感を有する磁気カードにおいて、
　該金属蒸着層が海・島構造からなる絶縁性のものであることを特徴とする金属光沢層を備えた磁気隠蔽カード。
【請求項３】
　金属蒸着層が、錫（Ｓｎ）または錫−アルミニウム（Ｓｎ−Ａｌ）合金からなることを特徴とする請求項１または請求項２記載の金属光沢層を備えた磁気隠蔽カード。
【請求項４】
　金属蒸着層の表面抵抗率が、１０10〜１０25Ω／□の範囲であることを特徴とする請求項１ないし請求項３のいずれか１の請求項記載の金属光沢層を備えた磁気隠蔽カード。」
（２）各刊行物の記載　
ア　刊行物１（甲第１号証）　
　本件特許の出願日前の平成１０年１月２６日に頒布された特許第２７０３３７０号公報（甲第１号証）には、次の事項が記載されている。（下線は当審で付した。以下同様。）
（ア）「〔産業上の利用分野〕
　本発明は、磁気カードに関し、特に、磁気ストライプ等の磁気層を表面側から視認できないようにした磁気層隠蔽カード及びその製造方法に関する。」（２頁４欄２４〜２７行）
（イ）「〔発明が解決しようとする課題〕
　したがって、本発明の目的は、上記した従来の磁気層隠蔽カードの問題点を解決して、磁気層隠蔽層とその上の印刷層の厚さを書込み読み出しに充分なだけ薄くし、それにもかかわらず隠蔽性が充分であり、また、隠蔽層の導電性による問題がなく、かつ、カードにエンボスを施しても隠蔽層の割れによって地肌が見えることのない磁気層隠蔽カードを提供することである。」（３頁５欄２６〜３３行）
（ウ）「また、微細な蒸着部が非蒸着部によって遮断されている海・島構造の金属蒸着層は、環化ゴム、塩化ゴム、塩素化ポリプロピレンの１つ又は複数をブレンドしたものからなる蒸着下地層の上に蒸着されていることが、磁気層の境界の段差を目立たなくし、金属蒸着層の磁気層への接着性を上げる上で望ましい。」（３頁６欄２０〜２５行）
（エ）「第１図に本発明に基づいた最も基本的な構造の磁気ストライプを隠蔽した磁気カードの実施例の要部断面を示す。第10図と同様の部分は同じ参照番号を付してある。このカード１は、酸化チタンの粉末を混入した白色塩化ビニルからなる0.56mmの厚さの基板２、その両側に接着された透明塩化ビニルからなる0.1mmの厚さのオーバーシート３、３、オーバーシート３に表面を露出して埋め込まれている磁気ストライプ４、オーバーシート３表面と磁気ストライプ４表面全体を覆っている隠蔽層７、隠蔽層７の上に印刷された絵柄層６からなっている。基板２、オーバーシート３、３にIC等の電子部品を埋め込むこともある。このカード１の第10図に示した従来の銀インキを用いるものとの本質的な違いは隠蔽層７にある。この層７は、金属蒸着層であるが、ミクロに見ると、非蒸着部と蒸着部が海・島構造をとっているものである。すなわち、第２図にその例の拡大平面図を示すように、各蒸着部８は非蒸着部９によって取り囲まれ孤立している。そのため、蒸着部８自身は導電性であっても、絶縁性の非蒸着部９によって遮断されているので、マクロに見れば、隠蔽層７は絶縁性を呈する。そして、マクロに見たとき、このような非蒸着部と金属の蒸着部が海・島構造をとっているものは、蒸着部の寸法及びその間隔が0.1mm以下の場合、反射性を呈し、その背後にあるものは見えず、隠蔽性を充分に備えている。したがって、このような絶縁性であって、隠蔽性を有する隠蔽層７を従来の第10図の銀インキ層５の代わりに用いれば、磁気ストライプ４を隠蔽してその上に綺麗な印刷ができるとともに、隠蔽層７の厚みは数100Å〜数1000Å程度であり、印刷層６及びオーバーシート、接着層等の厚みを加えても、従来のものに比較して相当に薄くなるため、磁気ストライプ４への情報の書込み、その読み出しが容易に行え、しかも、従来のような導電性に基づく問題点を有しないものとなる。そして、この隠蔽層７は、少なくとも蒸着基板に可塑性に富む加圧成形可能な樹脂を用いれば、カードにJIS　Ｘ　6301−1979に規定されているようなエンボス加工を施しても、単に島間隔が伸びるだけで、蒸着部に割れが生じないから、白い地肌が目立つようになることはない。蒸着部８と非蒸着９の配列は、第２図の（ａ）のように規則的であっても、（ｂ）のように不規則であってもよい。ただし、（ａ）のように規則的に並んでいると、回折により虹が発生することがあるので、この点を考慮して用途によりいずれかのものを選択すればよい。
　このような非蒸着部と蒸着部が
海・島構造をとっている隠蔽層
金属蒸着膜
島サイズは200Å〜１μｍ、島間隙は100〜5000Åである
（オ）「第８図に示した製造方法は、
磁気ストライプ４を押し込んだオーバーシート３上に蒸着下地層12を塗布し、その上に本発明の海・島構造の金属蒸着層からなる隠蔽層７、絵柄層６、保護層（OP層）10の順で設けた後、この積層体を１枚又は２枚の基板（コアシート）２の上に配置し、またその下に別のオーバーシート３を配置し
スズの海・島構造の金属蒸着層からなる隠蔽層７を蒸着し
絵柄層６として、まず塩化ビニル樹脂からなる白ベタインキ層をシルクスクリーン印刷し、さらに塩化ビニル樹脂からなる赤絵柄インキ層をスクリーン印刷した
これを
白色コアシート２の上に重ね、その下に
オーバーシート３を配置し
カードにした
（カ）「なお、８図、第９図の方法においては、１枚又は２枚のコアシート２の上下にオーバーシート３、３を配置して、0.76mmの厚さのカード本体としていたが、0.76mmの厚さの１枚の支持体に磁気層４を少なくとも一部に設けた後、磁気層４を持つ面に隠蔽層７、絵柄層６等を設けるようにしてもよい。また、オーバーシート、
コアシート
に磁気層と同色調に着色して、磁気層がより目立たないようにしてもよい
〔発明の効果〕
　本発明においては、上記したように、微細な蒸着部が非蒸着部によって遮断されている海・島構造の金属蒸着層を磁気ストライプ等の磁気層を視認できないようにする隠蔽層として用いているため、隠蔽層は反射性で隠蔽効果に優れており、表面側からは磁気ストライプ等の磁気層は視認できない。そして、その上全面に綺麗な印刷を施すことができ、磁気カードの商品価値が向上する。しかし、このように印刷しても、磁気ストライプ等の磁気層と保護層との間の厚さは磁気層の情報書込み読み出しに充分な薄さとなり、確実に書込み読み出しができる。そして、隠蔽層は絶縁性であるため、磁気カードを積み重ねておいてもコンデンサーを形成して静電気を持つことはなく、書込読出機を破壊することはない。また、磁気カードの中にIC等の電子部品を埋め込んでも、導通による問題は発生しない。さらに、磁気カードに文字等をエンボスしても、割れが発生して白い地肌が見えるようなことはなく、磁気カードの商品価値を阻害しない。
　また、本発明の磁気層隠蔽カードの製造方法によれば、上記のような磁気層隠蔽カードを安価に、作業適性よく製造することができ、小ロット品を安価に速く作ることができる。」（６頁１２欄９〜４０行）
（キ）上記（オ）より、「
１枚又は２枚の基板（コアシート）２」と「白色コアシート２」とは、同じものをさすことはあきらかである。また、図８より、オーバーシート３上の磁気ストライプ４を押し込んだ面に、蒸着下地層12を塗布していることが看取できる
（ク）金属蒸着層について、上記（エ）には、「非蒸着部と蒸着部が海・島構造をとっている隠蔽層の…島サイズが200Åより小さいと金属光沢がなく…島間隔は100Å以下では絶縁が悪く、5000Åより広いと金属光沢がなく」と記載されていることから、
海・島構造の金属蒸着層からなる隠蔽層は、蒸着部の寸法及びその間隔が0.1mm以下の場合、反射性を呈し、島サイズが200Å〜１μｍ、島間隙が100〜5000Åである場合、金属光沢があり、充分な隠蔽ができる
　これらの記載を総合すると、刊行物１（甲第１号証）には、次の発明（以下、「引用発明１」という。）が記載されているものと認められる。
「磁気ストライプ４を押し込んだオーバーシート３上の磁気ストライプ４を押し込んだ面に、蒸着下地層12を塗布し、その上に島サイズが200Å〜１μｍ、島間隙が100〜5000Åである海・島構造の金属蒸着層からなり金属光沢がある隠蔽層７、絵柄層６、保護層（OP層）10の順で設けた後、この積層体を白色コアシート２の上に配置し、またその下に別のオーバーシート３を配置し、スズの海・島構造の金属蒸着層からなり、絶縁性を呈する隠蔽層７を蒸着し、絵柄層６として、塩化ビニル樹脂からなる白ベタインキ層をシルクスクリーン印刷し、さらに塩化ビニル樹脂からなる赤絵柄インキ層をスクリーン印刷し、これを、白色コアシート２の上に重ね、その下にオーバーシート３を配置し、白色コアシート２に磁気層と同色調に着色して、磁気層がより目立たないようにした、カード１。」
イ　刊行物２（甲第２号証）
　本件特許の出願日前の平成２０年９月２５日に頒布された特開２００８−２２６０７０号公報（甲第２号証）には、次の事項が記載されている。
（ア）「【特許請求の範囲】
【請求項１】
半導体チップ上にコイルを形成した構造のコイルオンチップが、ベースフィルム面に固定されており、当該コイルオンチップおよびベースフィルム面には、外面に蒸着による絶縁性金属光沢層を有するプラスチックフィルムまたは紙基材からなる表面基材が積層されていることを特徴とする絶縁性金属光沢層付き非接触ＩＣタグ
【請求項２】
半導体チップ上にコイルを形成した構造のコイルオンチップが、ベースフィルム面に固定されており、当該コイルオンチップおよびベースフィルム面には、外面に蒸着による絶縁性金属光沢層を有し、内面に隠蔽印刷層を有するプラスチックフィルムまたは紙基材からなる表面基材が積層されていることを特徴とする絶縁性金属光沢層付き非接触ＩＣタグ。
【請求項３】
ベースフィルムのコイルオンチップとは反対側の面に、剥離紙で保護された粘着剤層を有することを特徴とする請求項１または請求項２記載の絶縁性金属光沢層付き非接触ＩＣタグ。
【請求項４】
前記絶縁性金属光沢層表面の粗さを原子間力顕微鏡で測定した場合の中心線平均粗さＲａが、１４ｎｍ以上であって、１００ｎｍ以下であることを特徴とする請求項１または請求項２記載の絶縁性金属光沢層付き非接触ＩＣタグ。
【請求項５】
絶縁性金属光沢層の表面抵抗率が、１０
１２
〜１０
２５
Ω／□の範囲であることを特徴とする請求項１または請求項２記載の絶縁性金属光沢層付き非接触ＩＣタグ
【請求項６】
絶縁性金属光沢層が、錫−アルミニウム（Ｓｎ−Ａｌ）、または錫−珪素（Ｓｎ−Ｓｉ）からなる合金、の蒸着層であることを特徴とする請求項１または請求項２記載の絶縁性金属光沢層付き非接触ＩＣタグ
【請求項７】
絶縁性金属光沢層が海・島構造からなり、当該海・島構造の、島サイズが２０ｎｍ〜１μｍ、島間の間隔が２５ｎｍ〜５００ｎｍの範囲であることを特徴とする請求項１または請求項２記載の絶縁性金属光沢層付き非接触ＩＣタグ
【請求項８】
コイルオンチップの周囲に、ブースタアンテナを形成したことを特徴とする請求項１または請求項２記載の絶縁性金属光沢層付き非接触ＩＣタグ。」
（イ）「【技術分野】
【０００１】
　本発明は、絶縁性金属光沢層付き非接触ＩＣタグに関する。詳しくは、蒸着した金属層からなるが絶縁性である層を有するフィルムまたは紙基材が、コイルオンチップ（登録商標）を固定するベースフィルムに積層されているため、外観が金属光沢を有しながら金属層に基づく、通信性能の阻害または低下を生じない非接触ＩＣタグに関する。
【０００２】
　本発明の絶縁性金属光沢層付き非接触ＩＣタグは、通常の非接触ＩＣタグ用途として用いられ、特に金属調の装飾効果が求められる用途に好適に利用できるものである。
【０００３】
　本発明の技術分野は非接触ＩＣタグの製造や利用に関し、当該非接触ＩＣタグの利用分野は、運送や流通、販売管理、商品の配送や荷物の取り扱い、遊戯用途等であり、具体的な用途例としては、荷札、ラベル、伝票、チケット、
カード
（ウ）「【発明が解決しようとする課題】
【００１１】
　従来技術では、非接触ＩＣタグに使用するいずれかの基材に金属蒸着した場合には、通信特性の低下が生じるので金属調の光沢感を持たせることは実現できなかった。そこで、本発明では、金属蒸着に海・島構造といわれる絶縁性蒸着層を採用することで、上記問題を解決できることを着想し、鋭意研究の結果、本発明の完成に至ったものである。
【００１２】
　特許文献５、特許文献６に提案の非接触ＩＣタグと異なり、本願は特に、コイルオンチップを利用したことを特徴とする。」
（エ）「【発明の効果】
【００２０】
　本発明の絶縁性金属光沢層付き非接触ＩＣタグは、表面に蒸着による金属光沢層を有する表面基材が積層されているので
金属光沢感の優れた
【００２１】
　本発明の絶縁性金属光沢層付き非接触ＩＣタグは、表面に金属光沢層を設けたので、隠蔽性と光反射性を有し、非接触ＩＣタグの位置を明確にできる。
【００２２】
　蒸着による金属光沢層は、一般に薄層からなるので、アルミ箔を使用する場合よりも金属使用量の低減を図ることができ、しかも同等の金属光沢感や意匠効果が得られる。」
（オ）「【００４４】
　海・島構造は蒸着原子の核の生成や成長、島どうしの合体等複雑な条件が絡み合って成膜される。蒸着金属材料、蒸着速度等の蒸着条件の選定により島サイズや島間隔の設定は可能であるが、かなり複雑な制御が必要であり材料が限定される。
【００４５】
　一般に融点の低い金属や貴金属は制御が比較的容易であり、錫（Ｓｎ）、亜鉛（Ｚｎ）、鉛（Ｐｂ）、ビスマス（Ｂｉ）、の単体金属またはその群から選ばれた二種以上の金属からなる合金、または錫−アルミニウム（Ｓｎ−Ａｌ）、錫−珪素（Ｓｎ−Ｓｉ）が用いられるが、中でも錫（Ｓｎ）は特に容易である。錫−アルミニウムの蒸着は、錫とアルミニウムの単体金属を別個のるつぼに入れて蒸気化し、基材上で合金として蒸着させることができる。錫−珪素も同様である。
【００４６】
　アルミニウムは金属光沢に優れるが、アルミニウム自体の単体金属は、表面エネルギーが高く基板上でマイグレーションが生じやすく、島状蒸着になり難い金属材料になる。
【００４７】
　絶縁性金属光沢層６ｍの表面抵抗率は、１０１２〜１０２５Ω／□の範囲であることが好ましい。１０１２Ω／□よりも小さい場合は導体により近くなり通信阻害が生じ、１０２５Ω／□より大きい場合は、金属光沢が失われ意匠性も損ねることになる。」
　これらの記載を総合すると、刊行物２（甲第２号証）には、次の発明（以下、「引用発明２」という。）が記載されているものと認められる。
「半導体チップ上にコイルを形成した構造のコイルオンチップが、ベースフィルム面に固定されており、当該コイルオンチップおよびベースフィルム面には、外面に蒸着による絶縁性金属光沢層を有するプラスチックフィルムまたは紙基材からなる表面基材が積層され、
絶縁性金属光沢層の表面抵抗率が、１０１２〜１０２５Ω／□の範囲であり、
絶縁性金属光沢層が、錫−アルミニウム（Ｓｎ−Ａｌ）、または錫−珪素（Ｓｎ−Ｓｉ）からなる合金、の蒸着層であり、
絶縁性金属光沢層が海・島構造からなり、当該海・島構造の、島サイズが２０ｎｍ〜１μｍ、島間の間隔が２５ｎｍ〜５００ｎｍの範囲である、
金属光沢感の優れた絶縁性金属光沢層付き非接触ＩＣタグ（カード）。」
　
（３）本件訂正特許発明１について
ア　対比　
　本件訂正特許発明１と引用発明１とを対比すると、
（ア）後者の「白色コアシート２」、「オーバーシート３」、「『オーバーシート３』に押し込まれた『磁気ストライプ４』」、「金属蒸着層」、「赤絵柄インキ層をスクリーン印刷し」、「カード１」、及び「スズの海・島構造の金属蒸着層からなり、絶縁性を呈する隠蔽層７」は、それぞれ、前者の「白色のコアシート」、「オーバーシート」、「１のオーバーシートの磁気テープ」、「金属蒸着層」、「デザイン印刷を施し」、「カード」、及び「金属蒸着層が海・島構造からなる絶縁性のもの」に相当する。
（イ）後者の「白色コアシート２」は、その上に積層体が配置され、その下に別のオーバーシート３が配置されるものであるから、前者の「『その両面にオーバーシートを積層』した『中心層』」に相当する。
（ウ）後者の「海・島構造の金属蒸着層からなり、絶縁性を呈する隠蔽層７」は、オーバーシート３上の磁気ストライプ４を押し込んだ面に、蒸着下地層12を塗布し、その上に設けているから、前者の「『１のオーバーシートの磁気テープ転写面』に『積層し』た『金属蒸着層』」に相当する。
（エ）後者の「絵柄層６」は、「海・島構造の金属蒸着層からなり、絶縁性を呈する隠蔽層７」の上に設けられているから、「『金属蒸着層面に』『施した』『デザイン印刷』」に相当する。
（オ）上記「（２）　ア　（オ）」に「磁気層４の黒」との記載より、後者の「磁気層と同色調に着色して」とは、黒色に着色してといえるから、後者の「白色コアシート２に磁気層と同色調に着色して」は、前者の「１のオーバーシートと接するコアシート面には黒色印刷がされている」に相当する。
（カ）本件特許明細書に「表面が、金属光沢を有するカードは、独特の金属色調と光輝感を有することから、高級カードとして従来から好まれている。しかし、金属蒸着層等を使用する従来のこの種カードは、該金属層の帯電に起因する静電気障害を生じることから、カードの金属面側には、磁気記録層（磁気テープまたはストライプ）を有しない形態にするのが通常であった。そこで、磁気記録が必要な場合は、止むを得ずカードの金属光沢面とは反対側面にのみ磁気テープを設けていた。」（【０００２】参照。）、「次に、絶縁性金属蒸着層の構造について説明する。図４は、絶縁性金属蒸着層の構造を説明する模式平面図、図５は、絶縁性金属蒸着層の模式断面図、である。絶縁性金属蒸着層は、一般的には、海・島構造の金属蒸着層からなっている。この従来から知られている海・島構造は、蒸着材料や蒸着条件等の選定により形成できるもので、金属蒸着層２３には微小な島３ａと島と島間を画する間隔３ｂからなる蒸着層３ｍが形成されている。」（【００２２】参照。）、及び「このような島３ａのサイズ（平均差し渡し径）は、２０ｎｍ〜１μｍ、島間の間隔（平均間隔）３ｂは、１０ｎｍ〜５００ｎｍの範囲であることが好ましい。島サイズが２０ｎｍより小さいと金属が粗になり過ぎ十分な金属光沢が得られない。」（【００２３】参照。）と記載されていることから、前者の「金属光沢層」とは、「『海・島構造からなる』『金属蒸着層』」を指すものである。そして、後者の「隠蔽層」は、島サイズが200Å〜１μｍ、島間隙が100〜5000Åである海・島構造の金属蒸着層からなり、金属光沢があるものであるから、前者の「金属光沢層」に相当する。
（キ）後者の「カード１」は、磁気層がより目立たないようにしたものであるから、前者の「磁気隠蔽カード」に相当する。
　したがって、両者は、
「白色のコアシートを中心層としてその両面にオーバーシートを積層し、１のオーバーシートの磁気テープ転写面に金属蒸着層を積層し、さらに金属蒸着層面にデザイン印刷を施した磁気カードにおいて、
　該金属蒸着層が海・島構造からなる絶縁性のものであり、
　該１のオーバーシートと接するコアシート面には黒色印刷がされている金属光沢層を備えた磁気隠蔽カード。」　
の点で一致し、以下の点で相違する。
［相違点１］
　本件訂正特許発明１が、「ヘアラインの凹凸溝模様が形成された」金属蒸着層を積層し、金属蒸着面にデザイン印刷を施した「金属色調と光輝感を有する」磁気カードであるのに対し、引用発明１は、そのようなものでない点。
［相違点２］
　本件訂正特許発明１が、「コアシート面にはシルクスクリーンによる」黒色印刷がされているのに対し、引用発明１は、白色コアシート２に磁気層と同色調に着色している点。
イ　判断
　上記相違点１、及び相違点２について、以下検討する。
（ア）［相違点１］について
　引用発明２は「金属光沢感の優れた絶縁性金属光沢層付き非接触ＩＣタグ（カード）」の発明が記載されているところ、当該発明においては、引用発明１の遮蔽層として用いられている海・島構造の金属蒸着層と同様の海・島構造からなる絶縁性の金属蒸着層を金属光沢感の優れた絶縁性のものとして用いるものである。
　してみると、引用発明１及び引用発明２に接した当業者であれば、引用発明１において遮蔽層として用いられている海・島構造の絶縁性の金属蒸着層を金属光沢感の優れた装飾層として転用できることは容易に理解し得ることである。
　そして、カードの技術分野において、カードに金属光沢感を持たせ意匠性を高めることは、従来より周知の課題である（必要であれば、特開２００８−２２６０７０号公報（【０００７】、【００１１】参照。）、特開２００７−２１９９０２号公報（【０００４】、【０００７】参照。）、特開２００２−１９２８６９号公報（【０００２】、【０００３】参照。））ことに鑑みれば、引用発明１における金属蒸着層を金属光沢感の優れた装飾層として転用しようとすることにも動機付けが存在するものといえ、その際には、引用発明１の金属蒸着層を引用発明２のもののように表面から直接目視できるように構成すれば良いことも自明のことというべきである、
　ここで、引用発明１において、海・島構造の金属蒸着層を磁気ストライプ４を視認できないようにする隠蔽層として用いており、塩化ビニル樹脂からなる白ベタインキ層をシルクスクリーン印刷し設けることは、引用発明１における課題を解決するための必須の手段といえるものではないから、白ベタインキ層をなくしたとしても、引用発明１の課題が達成できないものでもないことからすれば、そのようにすることに阻害要因が存在するものでもない。
　さらに、プラスチック基材の装飾加工技術の技術分野において、意匠性を高めるためにプラスチック基材を構成する金属蒸着層にヘアライン加工を施すことは、従来より周知の技術手段にすぎず（必要であれば、特開２００５−３４９５８１号公報（【０００１】、【００２８】参照。）、特開２００５−１１１８６５号公報（【０００４】、【００１６】、【００１７】参照。）、特開２０００−３５５０７２号公報（【０００２】、【０００４】、【００２７】参照。）、以下「周知の技術手段１」という。）、金属蒸着層を用いて金属光沢感のある意匠を実現するにあたり、ヘアライン加工を採用することは、金属蒸着層による意匠を構成するにあたって当業者が通常行う程度のことにすぎない。。
　以上のことからすれば、引用発明１の金属蒸着層を金属光沢感の優れた装飾層として転用するために、表面から直接目視できる層として構成し、その際にヘアライン加工を施すようにして、相違点１に係る本件訂正特許発明１の構成のようにすることは、引用発明１、引用発明２、及び上記周知の技術手段１に基づいて当業者が容易になし得る程度のことというべきである。
（イ）［相違点２］について
　一般に、磁気カードにおける印刷方法としてのシルクスクリーンによる印刷は、周知の技術手段である（例えば、特開２０１０−８９２７６号公報（【０００４】参照。）、特開２００５−２２２９７号公報（【００３２】参照。）、特開２００４−２８００８１号公報（【０１２５】参照。）、以下「周知の技術手段２」という。）。
　そして、引用発明１は、絵柄層６における赤絵柄インキ層をスクリーン印刷しており、上記周知の技術手段２を踏まえれば、引用発明１において、白色コアシート２に磁気層と同色調に着色する際に、シルクスクリーンによる印刷を行うことは、当業者が容易に想到し得るものである。
　したがって、引用発明１において、上記周知の技術手段２を参酌し、上記相違点２に係る本件訂正特許発明１の発明特定事項とすることは、当業者が容易に想到し得るものである。
　そして、本件訂正特許発明１の発明特定事項によって奏される効果も、引用発明１、引用発明２、上記周知の技術手段１、及び上記周知の技術手段２から、当業者が予測しうる範囲内のものである。　
　
　よって、本件訂正特許発明１は、引用発明１、引用発明２、上記周知の技術手段１、及び上記周知の技術手段２に基づいて、当業者が容易に発明をすることができたものであるから、特許法第２９条第２項の規定により特許を受けることが出来ない。
（４）本件訂正特許発明２について
ア　対比
　本件訂正特許発明２と引用発明１とを対比すると、
（ア）後者の「コアシート２」、「オーバーシート３」、「『オーバーシート３』に押し込まれた『磁気ストライプ４』」、「金属蒸着層」、「赤絵柄インキ層をスクリーン印刷し」、「カード１」、及び「スズの海・島構造の金属蒸着層からなり、絶縁性を呈する隠蔽層７」は、それぞれ、前者の「コアシート」、「オーバーシート」、「１のオーバーシートの磁気テープ」、「金属蒸着層」、「デザイン印刷を施し」、「カード」、及び「金属蒸着層が海・島構造からなる絶縁性のもの」に相当する。
（イ）後者の「コアシート２」は、その上に積層体が配置され、その下に別のオーバーシート３が配置されるものであるから、前者の「『その両面にオーバーシートを積層』した『中心層』」に相当する。
（ウ）後者の「海・島構造の金属蒸着層からなり、絶縁性を呈する隠蔽層７」は、オーバーシート３上の磁気ストライプ４を押し込んだ面に、蒸着下地層12を塗布し、その上に設けているから、前者の「『１のオーバーシートの磁気テープ転写面』に『積層し』た『金属蒸着層』」に相当する。
（エ）後者の「絵柄層６」は、「海・島構造の金属蒸着層からなり、絶縁性を呈する隠蔽層７」の上に設けられているから、前者の「『金属蒸着層面に』『施した』『デザイン印刷』」に相当する。
（オ）本件特許明細書に「表面が、金属光沢を有するカードは、独特の金属色調と光輝感を有することから、高級カードとして従来から好まれている。しかし、金属蒸着層等を使用する従来のこの種カードは、該金属層の帯電に起因する静電気障害を生じることから、カードの金属面側には、磁気記録層（磁気テープまたはストライプ）を有しない形態にするのが通常であった。そこで、磁気記録が必要な場合は、止むを得ずカードの金属光沢面とは反対側面にのみ磁気テープを設けていた。」（【０００２】参照。）、「次に、絶縁性金属蒸着層の構造について説明する。図４は、絶縁性金属蒸着層の構造を説明する模式平面図、図５は、絶縁性金属蒸着層の模式断面図、である。絶縁性金属蒸着層は、一般的には、海・島構造の金属蒸着層からなっている。この従来から知られている海・島構造は、蒸着材料や蒸着条件等の選定により形成できるもので、金属蒸着層２３には微小な島３ａと島と島間を画する間隔３ｂからなる蒸着層３ｍが形成されている。」（【００２２】参照。）、及び「このような島３ａのサイズ（平均差し渡し径）は、２０ｎｍ〜１μｍ、島間の間隔（平均間隔）３ｂは、１０ｎｍ〜５００ｎｍの範囲であることが好ましい。島サイズが２０ｎｍより小さいと金属が粗になり過ぎ十分な金属光沢が得られない。」（【００２３】参照。）と記載されていることから、前者の「金属光沢層」とは、「『海・島構造からなる』『金属蒸着層』」を指すものである。そして、後者の「隠蔽層」は、島サイズが200Å〜１μｍ、島間隙が100〜5000Åである海・島構造の金属蒸着層からなり、金属光沢があるものであるから、前者の「金属光沢層」に相当する。
（カ）後者の「カード１」は、磁気層がより目立たないようにしたものであるから、前者の「磁気隠蔽カード」に相当する。
　したがって、両者は、
「コアシートを中心層としてその両面にオーバーシートを積層し、１のオーバーシートの磁気テープ転写面に金属蒸着層を積層し、さらに金属蒸着層面にデザイン印刷を施した磁気カードにおいて、
　該金属蒸着層が海・島構造からなる絶縁性のものである金属光沢層を備えた磁気隠蔽カード。」　
の点で一致し、以下の点で相違する。
［相違点３］
　本件訂正特許発明２が、「黒色の」コアシートであるのに対し、引用発明１は、「白色」コアシート２に「磁気層と同色調に着色」している点。
［相違点４］
　本件訂正特許発明２が、「ヘアラインの凹凸溝模様が形成された」金属蒸着層を積層し、金属蒸着面にデザイン印刷を施した「金属色調と光輝感を有する」磁気カードであるのに対し、引用発明１の金属蒸着層は、そのようなものでない点。
イ　判断
　上記相違点３、及び相違点４について、以下検討する。
（ア）［相違点３］について
　本件特許明細書には「磁気テープの背面のコアシートに黒色の印刷がされているか（請求項１）、黒色に着色されているコアシートを使用するので（請求項２）、磁気テープの濃色の磁気材料のコントラストを低減して、磁気テープの色を適切に隠蔽することができ、しかも読み取り性能を低下させない。」（【００１０】）、及び「コアシート１１，１２自体を黒色として黒色印刷を省略するものである。」（【００１５】）と記載されている。
　このことからすると、本件訂正特許発明２において、コアシート自体を黒色とすることに格別な作用効果は認められず、コアシートが黒色と視認できさえすればよいこととなる。
　そして、引用発明１は「白色コアシート２に磁気層と同色調に着色して、磁気層がより目立たないようにした」と記載されていることから、引用発明１が磁気層と同色調に着色することによる「磁気層がより目立たないようにした」という作用は、本件訂正特許発明２が、黒色のコアシートを採用することによる作用と共通するものである。
　また、コアシートを黒色と視認できるようにすることは、コアシート自体を黒色とするか、コアシートの表面に黒色印刷するかのいずれかであって、このいずれかを選択するかは、当業者において、設計的事項といえる。
　以上を踏まえれば、引用発明１において、上記相違点３に係る本件訂正特許発明２の発明特定事項とすること、すなわち、黒色のコアシートとすることは、当業者が容易に想到し得るものである。
（イ）［相違点４］について
　上記「（３）本件訂正特許発明１について　イ　判断　（ア）［相違点１］について」のとおりであるから、上記相違点４に係る本件訂正特許発明２の発明特定事項は、引用発明１、引用発明２、及び上記周知の技術手段１より、当業者が容易に想到し得るものである。
　そして、本件訂正特許発明２の発明特定事項によって奏される効果も、引用発明１、引用発明２、及び上記周知の技術手段１から、当業者が予測しうる範囲内のものである。
　よって、本件訂正特許発明２は、引用発明１、引用発明２、及び上記周知の技術手段１に基づいて、当業者が容易に発明をすることができたものであるから、特許法第２９条第２項の規定により特許を受けることが出来ない。
（５）本件訂正特許発明３について
　本件訂正特許発明３は、本件訂正特許発明１または２の発明特定事項に加え、「金属蒸着層が、錫（Ｓｎ）または錫−アルミニウム（Ｓｎ−Ａｌ）合金からなること」という発明特定事項を追加して限定を付したものである。
　ここで、引用発明１の「スズの海・島構造の金属蒸着層」は、本件訂正特許発明３の「金属蒸着層が、錫（Ｓｎ）からなること」に相当する。
　そうすると、本件訂正特許発明１を引用する本件訂正特許発明３と引用発明１とを対比すると、上記「（３）本件訂正特許発明１について　ア　対比」における、上記相違点１及び２のみとなるから、上記「（３）本件訂正特許発明１について　イ　判断」と同様の理由により、本件訂正特許発明３は、引用発明１、引用発明２、上記周知の技術手段１、及び上記周知の技術手段２に基づいて、当業者が容易に発明をすることができたものであるから、特許法第２９条第２項の規定により特許を受けることが出来ない。
（６）本件訂正特許発明４について　
　本件訂正特許発明４は、本件訂正特許発明１ないし３のいずれかの発明特定事項に加え、「金属蒸着層の表面抵抗率が、１０10〜１０25Ω／□の範囲である」という発明特定事項を追加して限定を付したものである。
　そうすると、本件訂正特許発明１を引用する本件訂正特許発明４と引用発明１とを対比すると、上記「（３）本件訂正特許発明１について　ア　対比」における、上記相違点１及び２に加え、本件訂正特許発明４が「金属蒸着層の表面抵抗率が、１０10〜１０25Ω／□の範囲である」という事項を有する点でも相違する。（以下「相違点５」という。）
　上記相違点１については、上記「（３）本件訂正特許発明１について　イ　判断　（ア）［相違点１］について」のとおりであるから、引用発明１、引用発明２、及び上記周知の技術手段１より、当業者が容易に想到し得るものである。
　上記相違点２については、上記「（３）本件訂正特許発明１について　イ　判断　（イ）［相違点２］について」のとおりであるから、引用発明１において、上記周知の技術手段２を参酌し、上記相違点２に係る本件訂正特許発明１の発明特定事項とすることは、当業者が容易に想到し得るものである。
　ここで、引用発明２の「絶縁性金属光沢層」の表面抵抗率は、１０１２〜１０２５Ω／□の範囲であるから、本件訂正特許発明４の「金属蒸着層の表面抵抗率が、１０10〜１０25Ω／□の範囲である」に包含されるものである。そうすると、相違点５に係る本件訂正特許発明４の発明特定事項は、引用発明２に示されているといえる。
　そして、引用発明１と引用発明２とは、カードという共通の技術分野に属し、引用発明１と引用発明２はともに、海・島構造の金属蒸着層を採用しており、絶縁性を付与するという点で作用が共通するものである。
　そうすると、引用発明１において、引用発明２を適用することは、当業者が容易に想到し得るものである。
　したがって、引用発明１において、引用発明２を適用することにより、上記相違点５に係る本件訂正特許発明４の発明特定事項とすることは、当業者が容易に想到し得るものである。
　よって、本件訂正特許発明４は、引用発明１、引用発明２、上記周知の技術手段１、及び上記周知の技術手段２に基づいて、当業者が容易に発明をすることができたものであるから、特許法第２９条第２項の規定により特許を受けることが出来ない。
５．むすび
　以上のとおり、本件訂正特許発明１乃至本件訂正特許発明４は、特許法第２９条第２項の規定に違反してされたものである。
　したがって、本件訂正特許発明１乃至本件訂正特許発明４に係る特許は、特許法第１１３条第２号の規定に該当し、取り消されるべきものである。
　よって、結論のとおり決定する。
【異議決定日】
平成３０年１１月２２日（２０１８．１１．２２）
【訂正の要旨】
審決（決定）の【理由】欄参照。
（５７）【特許請求の範囲】
　【請求項１】
　白色のコアシートを中心層としてその両面にオーバーシートを積層し、１のオーバーシートの磁気テープ転写面に
、ヘアラインの凹凸溝模様が形成された
金属色調と光輝感を有する
　該金属蒸着層が海・島構造からなる絶縁性のものであり、
　該１のオーバーシートと接するコアシート面にはシルクスクリーンによる黒色印刷がされていることを特徴とする金属光沢層を備えた磁気隠蔽カード。
　【請求項２】
　黒色のコアシートを中心層としてその両面にオーバーシートを積層し、１のオーバーシートの磁気テープ転写面に
、ヘアラインの凹凸溝模様が形成された
金属色調と光輝感を有する
　該金属蒸着層が海・島構造からなる絶縁性のものであることを特徴とする金属光沢層を備えた磁気隠蔽カード。
　【請求項３】
　金属蒸着層が、錫（Ｓｎ）または錫−アルミニウム（Ｓｎ−Ａｌ）合金からなることを特徴とする請求項１または請求項２記載の金属光沢層を備えた磁気隠蔽カード。
　【請求項４】
　金属蒸着層の表面抵抗率が、１０１０〜１０２５Ω／□の範囲であることを特徴とする請求項１ないし請求項３のいずれか１の請求項記載の金属光沢層を備えた磁気隠蔽カード。